(57)【要約】【課題】携帯に便利で、構造簡易で廉価にて供給でき、使用に際して香水をこぼしたり、出し過ぎたりするおそれがなく常に所望量の塗布が可能で、しかも、芳香器としての使用も可能な携帯用香水ケースを提供することを課題とする。【解決手段】容体１と、上部を突出させた状態にして前記容体内に収装される吸収体２と、前記吸収体２の突出部を被覆するようにして前記容体に嵌め付けられる密閉用キャップ３とから成り、前記密閉用キャップ３は前記容体１内に収まる嵌入筒７を有していてそこに内側通気孔８が１又は複数透設され、前記容体１上部の前記嵌入筒当接部に前記内側通気孔８に対応して連通する外側通気孔４が透設されていることを特徴とする【選択図】図２
2006042843.tif 000002
【特許請求の範囲】
【請求項１】
容体と、上部を突出させた状態にして前記容体内に収装される吸収体と、前記吸収体の突出部を被覆するようにして前記容体に嵌め付けられる密閉用キャップとから成り、前記密閉用キャップは前記容体内に収まる嵌入筒を有していてそこに内側通気孔が１又は複数透設され、前記容体上部の前記嵌入筒当接部に前記内側通気孔に対応して連通する外側通気孔が透設されていることを特徴とする携帯用香水ケース。
【請求項２】
前記密閉用キャップの嵌入筒に更に、特定の回動位置において前記容体の外側通気孔に嵌合する突部が形成された請求項１に記載の携帯用香水ケース。
【請求項３】
前記突部は、前記内側通気孔から９０度の位置に形成された請求項２に記載の携帯用香水ケース。
【請求項４】
前記密閉用キャップに、紐取付部が形成された請求項１乃至３のいずれかに記載の携帯用香水ケース。
【請求項５】
容体と、上部を突出させた状態にして前記容体内に収装される吸収体と、前記吸収体の突出部を被覆するようにして前記容体に嵌め付けられる密閉用キャップと、前記容体の前記密閉用キャップ嵌め付け側と反対側に嵌め付けられる芳香用キャップとから成り、前記吸収体は前記容体の仕切りで仕切られた一半部に収装され、前記容体の他半部は収納部とされてそこに芳香手段が収納され、前記芳香用キャップには芳香用開口が形成されていることを特徴とする携帯用香水ケース。
【請求項６】
前記密閉用キャップ及び／又は芳香用キャップに紐取付部が形成された請求項５に記載の携帯用香水ケース。
【請求項７】
前記芳香手段はポプリである請求項５に記載の携帯用香水ケース。
【発明の詳細な説明】
【技術分野】
【０００１】
本発明は携帯用香水ケース、より詳細には、外出時に適量の香水を収容して携帯するのに好適な携帯用香水ケースに関するものである。
【背景技術】
【０００２】
外出先において香水を使用するため、適量の香水を小さな容器に移してバッグ等に入れて携行することが行なわれている。そのための容器の多くは、単なるガラス製又はプラスチック製のボトル容器であるが、その場合、使用時に香水はダイレクトに出るため、出し過ぎたり、こぼしたりするおそれがあり、携帯容器に香水を補充する際にもこぼしやすい。
【０００３】
そこで、香水注出孔を常時スプリングに付勢されたボール栓で閉塞しておき、使用時にボール栓をスプリングの弾発力に抗して若干押し込むことにより、香水を染み出させる方式のものが存在する（特開２００４−１２９７１２号公報）。また、ボール栓を転動可能にカシめ止めし、ボール栓の回転に伴って香水を塗布するボールペンタイプのものも提唱されている（実用新案登録第３０７０２４４号公報、同第３０１０１１７号公報）。
【０００４】
【特許文献１】特開２００４−１２９７１２号公報
【特許文献２】実用新案登録第３０７０２４４号公報
【特許文献３】実用新案登録第３０１０１１７号公報
【発明の開示】
【発明が解決しようとする課題】
【０００５】
上記携帯用香水ケースの場合は、全体構造が複雑化してコスト高となり、所望量の浸出、塗布が容易ではないだけでなく、香水の補充にも手間がかかり、更に、芳香という点についての配慮がなされていない。
【０００６】
そこで本発明は、携帯に便利で、構造簡易で廉価にて供給でき、使用に際して香水をこぼしたり、出し過ぎたりするおそれがなく常に所望量の塗布が可能で、しかも、芳香器としての使用も可能な携帯用香水ケースを提供することを課題とする。
【課題を解決するための手段】
【０００７】
上記課題を解決するために請求項１に係る発明は、容体と、上部を突出させた状態にして前記容体内に収装される吸収体と、前記吸収体の突出部を被覆するようにして前記容体に嵌め付けられる密閉用キャップとから成り、前記密閉用キャップは前記容体内に収まる嵌入筒を有していてそこに内側通気孔が１又は複数透設され、前記容体上部の前記嵌入筒当接部に前記内側通気孔に対応して連通する外側通気孔が透設されていることを特徴とする携帯用香水ケースを提唱する。
【０００８】
好ましくは、前記密閉用キャップの嵌入筒に更に、特定の回動位置において前記容体の外側通気孔に嵌合する突部が形成され、前記突部は、前記内側通気孔から９０度の位置に形成され、また、前記密閉用キャップに、紐取付部が形成される。
【０００９】
また、上記課題を解決するために請求項５に係る発明は、容体と、上部を突出させた状態にして前記容体内に収装される吸収体と、前記吸収体の突出部を被覆するようにして前記容体に嵌め付けられる密閉用キャップと、前記容体の前記密閉用キャップ嵌め付け側と反対側に嵌め付けられる芳香用キャップとから成り、前記吸収体は前記容体の仕切りで仕切られた一半部に収装され、前記容体の他半部は収納部とされてそこに芳香手段が収納され、前記芳香用キャップには芳香用開口が形成されていることを特徴とする携帯用香水ケースを提唱する。
【００１０】
好ましくは、前記密閉用キャップ及び／又は芳香用キャップに紐取付部が形成される。前記芳香手段はポプリとすることができる。
【発明の効果】
【００１１】
本発明に係る携帯用香水ケースは、携帯に便利で、構造簡易で廉価にて供給でき、使用に際して香水をこぼしたり、出し過ぎたりするおそれがなく常に所望量の塗布が可能で、しかも、芳香器としての使用も可能なる効果がある。
【００１２】
特に請求項２に記載の発明においては、芳香のための通気孔の開閉を確実に行ない得る効果があり、請求項４及び請求項６に記載の発明においては、携帯ストラップ等を取り付ける等して携行に一層便ならしめる効果がある。
【発明を実施するための最良の形態】
【００１３】
本発明を実施するための最良の形態につき、添付図面に依拠して説明する。先ず、図１乃至図５に示す第１の実施形態について説明する。この実施形態の香水ケースは、吸収体２を上部を突出させて収装する容体１と、容体１に嵌め付ける密閉用キャップ３とから成る。通例、容体１と密閉用キャップ３はプラスチック製であり、吸収体２は香水を含浸し得るスポンジ、布、繊維等製である。
【００１４】
容体１には、その側面上部に１又は複数（図示した例では１個）の外側通気孔４が透設される。図１に示す例では容体１の上端部にフランジ部５が形成されているが、フランジ部５は設けなくてもよい。
【００１５】
フランジ部５を形成する場合は、密閉用キャップ３にもフランジ部５に対応するフランジ部６が形成される。
【００１６】
密閉用キャップ３には、容体１内に嵌入する嵌入筒７が延設される。嵌入筒７には、外側通気孔４に対応する１又は複数（図示した例では２個）の内側通気孔８が透設される。好ましい実施形態においては、嵌入部７に内側通気孔８と共に、一定の回動位置（図示した例では内側通気孔８から９０度の位置）において外側通気孔４内に嵌合する突部９が、１又は複数（図示した例では１個）形成される。
【００１７】
必要に応じて更に密閉用キャップ３には、携帯ストラップの如き下げ紐１０を取り付けるための紐取付部１１が形成される。図示した下げ紐取付部１１は、密閉用キャップ３の上面中心部を横切るように設けた板状のもので、適宜取付孔１２を設けたものである。
【００１８】
上記第１の実施形態の香水ケースは、携行に際し、密閉用キャップ３を外して吸収体２に所望の香水やコロンを適量含浸させる。その場合、液をビンからビンへ移し替える訳ではなく、吸収体２に浸み込ませるので、液をこぼすことがなく、無駄がない。吸収体２に香水等を含有させた後、容体１に密閉用キャップ３を嵌め付けるが、密閉用キャップ３はその嵌入筒７を吸収体２に被せて容体１内に収め、フランジ部６がフランジ部５に当たるまで押し込む。
【００１９】
嵌入筒７に突部９を設けたときは、容体１を持ってキャップ３を回し（又は密閉用キャップ３を持って容体１を回し）、突部９を外側通気孔４に嵌合させる。かくして外側通気孔４が閉塞されると共に、突部９がストッパーとして機能するために、携行時に不用意にキャップ３が容体１から外れることが防止される。なお、突部９を設けない場合は、外側通気孔４は、嵌入部７の外周面の内側通気孔８を設けてない部分において閉塞される。
【００２０】
上記外側通気孔４の閉塞状態から密閉用キャップ３を外すことなく回し、外側通気孔４と内側通気孔８とを合致させると、吸収体２に含浸された香水等の香気がケース外に放出される（図４）。即ち、芳香器として機能する。また、密閉用キャップ３を外して吸収体２を露出させ、吸収体２を肌につけて香水等を浸み出させて転移させることができる（図３）。
【００２１】
図５は、容体１と密閉用キャップ３の種々の形状例を示すもので、ファッション性を持たせることができる。
【００２２】
次に、図６乃至図１１に示される第２の実施形態について説明する。この第２の実施形態の香水ケースは、吸収体２２をその上部を突出させて装入する容体２１と、容体２１の吸収体突出側に嵌め付ける密閉用キャップ２３と、容体２１の吸収体突出側と反対側に嵌め付けられる芳香用キャップ２４とから成る。
【００２３】
容体２１は内部中程に仕切り２５が設置されて上下に区画され、上側が吸収体装填部２６とされ、下側が収納部２７とされる（図８）。仕切り２５の吸収体装填部２６側中央部には、容体２１外にまで延びる吸収体取付軸２８が立設され、この吸収体取付軸２８の全体を覆うように吸収体２２が被着される。
【００２４】
収納部２７には、吸収体２２と同じ又は異なる香水、コロン等を含浸させたスポンジ、布、繊維等の吸収体、あるいは、ポプリ等の芳香手段２９を入れる。図１０に示す芳香手段２９は吸収体２２と同じ構成（但し、吸収体取付軸２８を設けない場合もある。）であり、図９に示す芳香手段２９はポプリである。
【００２５】
密閉用キャップ２３は、上記密閉用キャップ３と大体同じ構成で、下げ紐１０を取り付ける紐取付部３１を備える。但し、この場合の嵌入筒３０は単なる筒体で、内側通気孔８とか突部９の如き構成は有しない。
【００２６】
芳香用キャップ２４は収納部２７内に嵌入される筒部３２を有すると共に、筒部３２内に通じる芳香用開口３３を備える。
【００２７】
図１１は、この第２の実施形態の香水ケースのそれぞれ異なる形状例を示すものであり、芳香用開口３３も種々の形状のものとなる。
【００２８】
この第２の実施形態において、密閉用キャップ２３を外して吸収体２２を使用する方法は、第１の実施形態の場合と同じである。また、収納部２７に収納された芳香手段２９からの芳気は、芳香用開口３３を通って常時放出される。
【００２９】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３０】
【図１】本発明に係る携帯用香水ケースの第１の実施形態の正面図である。
【図２】本発明に係る携帯用香水ケースの第１の実施形態の密閉用キャップを外した状態の正面図及び側面図である。
【図３】本発明に係る携帯用香水ケースの第１の実施形態の使用方法を示す図である。
【図４】本発明に係る携帯用香水ケースの第１の実施形態の他の使用方法を示す図である。
【図５】本発明に係る携帯用香水ケースの第１の実施形態の種々の形状例を示す図である。
【図６】本発明に係る携帯用香水ケースの第２の実施形態の正面図である。
【図７】本発明に係る携帯用香水ケースの第２の実施形態の密閉用キャップを外した状態の正面図及び側面図である。
【図８】本発明に係る携帯用香水ケースの第２の実施形態における容体の縦断面図である。
【図９】本発明に係る携帯用香水ケースの第２の実施形態の使用方法を示す図である。
【図１０】本発明に係る携帯用香水ケース第２の実施形態の他の使用方法を示す図である。
【図１１】本発明に係る携帯用香水ケースの第２の実施形態の種々の形状例を示す図である。
【符号の説明】
【００３１】
１    容体
２    吸収体
３    密閉用キャップ
４    外側通気孔
５    フランジ部
６    フランジ部
７    嵌入筒
８    内側通気孔
９    突部
１０    下げ紐
１１    紐取付部
１２    取付孔
２１    容体
２２    吸収体
２３    密閉用キャップ
２４    芳香用キャップ
２５    仕切り
２６    吸収体装填部
２７    収納部
２８    吸収体取付軸
２９    芳香手段
３０    嵌入筒
３１    紐取付部
３２    筒部
【図１】
2006042843.tif 000003
【図２】
2006042843.tif 000004
【図５】
2006042843.tif 000005
【図６】
2006042843.tif 000006
【図７】
2006042843.tif 000007
【図８】
2006042843.tif 000008
【図９】
2006042843.tif 000009
【図１１】
2006042843.tif 000010
【図３】
2006042843.tif 000011
【図４】
2006042843.tif 000012
【図１０】
2006042843.tif 000013